(57)【要約】【課題】従来の洗米器は、杓文字形状・専用容器で攪拌・水流洗浄・洗米装置がある。杓文字形状は洗米に斑が出る。専用容器は収納に困り本体も洗い難い。水流洗浄は、使用水量が多く水道代が嵩む。洗米装置は庇部が大きすぎる為、笊の部分とボールの部分を合わせて持ちにくいので米を零し易い。  本発明は、このような従来の構成が有していた問題を解決しようとするものであり、より合理的で簡便な洗米器を提供することを課題とする。【解決手段】全体をボール（８）と、その内側に入る大きさの笊（１）から構成される洗米器であって、前記笊（１）底外側には、主要攪拌羽（２）と補助攪拌羽（３）をお互い接触しないように設け、これら板羽全面に凹凸（４）を高密度設ける。ボール（８）内面は凹凸（９）を高密度に設ける。更に蓋（１２）を設け、蓋の把手（１３）を回動すると蓋と笊が歯車として連動するように構成した。【選択図】  図１
2007000216.tif 000002
【特許請求の範囲】
【請求項１】
ボールと、その内側に入る大きさの笊から構成され、笊は底外側に攪拌部を設けるともに、笊開口部縁に把手を設けるとともに、ボール開口部縁に把手を設けて、笊とボールを重ねた時に開口部どうしが密接である事を特徴とする洗米器。
【請求項２】
前記笊底外側の中央に、１本の長い主要攪拌羽を設け、中心から間を空けて短めの補助攪拌羽を設けた事を特徴とする請求項１記載の洗米器。
【請求項３】
前記ボール内面に、凹凸を高密度設けた事を特徴とする請求項１ないし請求項２のいずれかに記載の洗米器。
【請求項４】
前記笊の攪拌部に、凹凸を高密度設けた事を特徴とする請求項１ないし請求項２ないし請求項３のいずれかに記載の洗米器。
【請求項５】
前記笊とボールの開口部を覆う大きさの蓋を設けて、蓋上側に把手があり、蓋内側に輪状凸部を笊開口部内側に接するよう設けて、その周縁の蓋庇部下側は、笊開口部との接点に凹凸縦溝を複数設けて、そこに密接に噛み合うように笊開口部縁上側に凹凸縦溝を複数設けて、蓋と笊が歯車として連動出来る事を特徴とする請求項１ないし請求項２ないし請求項３ないし請求項４のいずれかに記載の洗米器。
【発明の詳細な説明】
【技術分野】
【０００１】
本発明は、一般家庭に用いる洗米器の形状に関する。
【背景技術】
【０００２】
従来の洗米は、杓文字形状で手動に洗浄するもの、専用容器で攪拌洗浄や水流洗浄などがある。
【０００３】
尚、関連技術に下記物件もある。（例えば特許文献１・２参照）
【特許文献１】特公昭４７−０３２７１６号公報  細目の網で笊状容器体の外側面底部に、半軟質で、放列状に複数本の攪拌脚を植設し、該容器体上縁に柔軟性洗米脱漏防止庇を周設し、笊状容器体上縁に、嵌脱自在に、握柄を設けた本器を、洗米容器内に係合載置し、左右回動操作で、洗米を行うことを特徴とした洗米装置。
【特許文献２】特公昭４９−０１７２２７号公報  細目の網状で把柄付き笊状容器体の底辺に半柔軟体で先細の棒状攪拌脚体を複数本植設し、該笊状容器体上縁に細い線径で柔軟性の櫛歯状弾性鍔体を周設し更に続いて、細目の網体で緩い上反状に攪拌安定庇体を設けたことを特徴とする洗米装置。
【発明の開示】
【発明が解決しようとする課題】
【０００４】
しかしながら以上の技術によれば、杓文字形状は攪拌部と米の接触面積が小さく手作業の為、米全体を洗米するまでの動作が多くなる。また米研ぎの力加減や範囲などに斑が出るため、米肌を傷付けたり研ぎ残したりする。水切りの際も、米が零れ易いので慎重な動作が必要である。
【０００５】
専用容器で攪拌部に接続されたハンドルを回す攪拌洗浄型は、攪拌時の水や米の抵抗力が意外と強いので、容器や蓋が揺さぶられて不安定になり、押さえるのに力が必要でハンドルも回し難い。また形状が複雑なため本体が洗い難い。
【０００６】
専用容器の水流洗浄型は、攪拌部が無いので洗米摩擦が小さく、水流・水圧のみに頼るため使用水量が多くなり水道代が嵩む。その上、専用容器は用途が限られており、別途に洗米器用の置き場所を考慮しなくてはならず、狭い台所での収納に困るなど難点がある。
【０００７】
洗米装置（例えば特許文献１・２参照）は、攪拌安定庇体がボールの直径よりも広く笊幅は狭いため、通常の笊として使用する場合、笊の内面積が小さく使い勝手が悪い上に大きな庇部によって無駄なスペースを取り収納に困る。洗米方法は笊状容器体の把柄を持ち任意回動で行い、洗米時の動作の摩擦に伴いボールも揺さぶられるが、攪拌安定庇体がボールの直径よりも広くボールに把手が無いため、ボールを片手で押さえ固定しながらの作業は困難である。洗米時の水交換は、給水したままで自然と流出させる方法だが、新鮮な水と濁水を混合しながら給排水を同時にすると、多量の水量を必要とし水道代が嵩む。水切りの際も、攪拌安定庇体がボール開口部よりも大きい為、ボール部分と笊部分とを合わせ持ち辛いので、不安定になり手が小さく握力が弱い子供や御年寄りは、米を零し易く不向きである。また棒状の攪拌脚体は、摩擦面が小さいので攪拌力が弱く、本数も多く設置され形状が複雑で本体も洗い難い。笊下に水と米が入り回動攪拌すると、ボールと笊の内外の空間が広く自由度が高いので、垂心力に抑制が働かず、開口部接点に隙間が生じて米が零れ易い。笊の攪拌安定庇体と弾性鍔体は、攪拌時にボール開口部と接触面になるが、摩擦による負担が掛かる割に網状のため脆弱で変形し易く、歪んだ部分に隙間が生じて米が零れる難点がある。また既存のボールを使用しており笊と合同設計ではない為、大きさがまちまちで、笊から攪拌部までの高さとボールの深さが一致しない。この様に、笊に対しボールの深さが浅すぎれば、ボール底に攪拌部がぶつかる為、ボール開口部から攪拌安定庇体が浮き上がりそこから米が流出し、うまく洗米出来ない。逆にボールの深さが深すぎれば、ボール底の米に攪拌部がとどかず攪拌洗米が不可能な状態になる。また平坦なボール内面は、濡れた残留物が付着するので、手で掻き集めなければならない難点がある。
【０００８】
本発明は、このような従来の構成が有していた問題を解決しようとするものであり、より合理的で簡便な洗米器を提供することを課題とする。
【課題を解決するための手段】
【０００９】
以上の課題を解決するために、第一の発明は、ボールと、その内側に入る大きさの笊から構成され、洗米効率を上げるための合同設計である。笊の底外側に攪拌部を設け、笊開口部縁の両サイドに把手を設ける。ボールは開口部縁の両サイドに把手を設ける。笊を通してボール内の米に給水し、笊とボールの各両サイドの把手を併せ持ち、笊を通して排水する。その際、米が零れないように開口部は密接である事を特徴とする洗米器（請求項１記載）。
【００１０】
第二の発明は、前記笊の底外側の中央に、１本の長い板羽（主要攪拌羽）を設け、中心から間を空けて短めの板羽（補助攪拌羽）を設けたことを特徴とする洗米器（請求項２記載）。
【００１１】
第三の発明は、前記ボール内面に濡れた米の付着残留物を離脱し易くする為に、凹凸を高密度設けた事を特徴とする洗米器（請求項３記載）。
【００１２】
第四の発明は、前記笊の攪拌部に濡れた米の付着残留物を離脱し易くする為に、凹凸を高密度設けた事を特徴とする洗米器（請求項４記載）。
【００１３】
第五の発明は、前記笊とボールの開口部を覆う大きさの蓋を設ける。蓋内側に輪状凸部を笊開口部内側に接するよう設ける。その周縁にある蓋庇部は、笊開口部との接点に凹凸縦溝を複数設けて、そこに密接に噛み合うように笊開口部縁上側に凹凸縦溝を複数設ける。蓋上側中央に設けた把手を任意回動すると、歯車として蓋と笊底外側の板羽は連動し攪拌する事を特徴とする洗米器（請求項４記載）。
【発明の効果】
【００１４】
第一発明によれば、従来の笊とボールに洗米機能を付加させた物で、三用途に使用可能で、別途に洗米器用収納を考慮しなくても良く、省スペース化が図れる。笊とボールを一体化し、本体保持と攪拌力点を兼用する把手を設けることで、重心が低く軽い力で安定した作業が出来る。笊とボールの開口部は密接で、把手は持ち易く、給排水面が広い笊の特性を生かして、米を零さずに水切りや給水が簡単に出来る。笊から攪拌部までの高さと、ボールの深さを考慮した合同設計で、洗米効率に最適な形態に仕上げられる。
【００１５】
第二発明によれば、笊底外側の中央に１本の長い板羽（主要攪拌羽）を設けるとともに、中心から間を空けて、垂直に短めの板羽（補助攪拌羽）を設けた十字型に似た形態である。この形状の効果は、主要攪拌羽が米と水全体を大きく掻き混ぜ、影響力が弱まる中間部に補助攪拌羽を隙間を空けて設置することで、左右小さく回動攪拌しても米や水の動きをスムーズにし、斑なく攪拌され洗米効率を上げる。また板羽の数を最小限にし隙間を空けることで、角部は無くなり笊本体が洗い安く、笊を直に置いても板羽が脚となる配置なので清潔に保たれる。
【００１６】
第三発明によれば、ボール内面の凹凸は、ボールに付着する残留物を手を使わずに、振動で落とすことを容易にする。また攪拌時は米と凹凸に摩擦が生じ洗米効率を上げる。
【００１７】
第四発明によれば、攪拌部の凹凸は、攪拌部に付着する残留物を手を使わずに、振動で落とすことを容易にする。また攪拌時は、米と凹凸で摩擦が生じ洗米効果を上げる。
【００１８】
第五発明によれば、笊とボールの開口部を密接に覆う蓋を設けて、歯車として蓋と笊が連動することにより、笊とボールの把手の他に蓋の把手も攪拌力点として任意選択できる。笊開口部内側に接するよう蓋内側に輪状凸部を設けることで、蓋を被せる際、笊開口部に填め込むかたちで定位置に誘導し、蓋と笊を固定する補助具となる。蓋上側中央に把手を設けて、指で摘まみ水平に左右回転すると、中心点が保持され回動がスムーズで、回動攪拌時に発生する垂心力で笊がボールから浮くのを押さえ、遠心力で水が零れる事も防いでくれる。また、料理の下ごしらえで時間を置く場合や食器として使用する場合も、蓋があると食品に虫や埃などが入るのを防ぎ衛生的である。
【発明を実施するための最良の形態】
【００１９】
以下、本発明の実施の形態を説明する。
（イ）笊（１）は米が漏れない大きさの網目からなる。
（ロ）笊（１）の底外側に攪拌部（２）（３）を設ける。
（ハ）攪拌部（２）（３）全面に凹凸（４）を高密度設ける。
（ニ）笊開口部（６）縁の両サイドに把手（５）を設ける。
（ホ）ボール開口部（１１）縁の両サイドに把手（１０）を設ける。
（ヘ）ボール（８）の内面全体に凹凸（９）を高密度設ける。
（ト）笊（１）とボール（８）を重ねた時に各々の開口部（６）（１１）どうしは密接状態となるよう形成する。
（チ）笊（１）とボール（８）を重ねた時に攪拌部（２）（３）下がボール（８）底に至近となるように設置し、各々の高さを適合するように形成する。
【００２０】
以上を基に（ロ）の攪拌部構成は、笊（１）の底外側は中央に１本の長い主要攪拌羽（２）を設けて、中心から間を空けて主要攪拌羽（２）と相触れずに交差するように短めの補助攪拌羽（３）を設ける。尚、本発明における攪拌部（２）（３）の構成は、羽状のみに限定されず、他に四角や丸の棒状体を攪拌部の構成として採用してもよい。また本発明における凹凸（４）（９）の構成は、半円球状（４）（９）のみに限定されず、格子状や直線状や曲線状などを採用してもよい。
【００２１】
また付属品として、笊（１）とボール（８）の開口部（６）（１１）を覆う大きさの蓋（１２）を設ける。蓋（１２）上側中央に、摘まんで回動し易い把手（１３）を設け、洗米状況が見易いように透明とする。蓋（１２）下側に輪状凸部（１５）を笊開口部（６）内側に密接するよう設ける。輪状凸部（１５）の周縁に蓋庇部（１４）を設ける。蓋庇部（１４）下側に凹凸縦溝（１６）を複数設けるとともに、笊開口部縁上側にも同様の凹凸縦溝（７）を複数設け、相互に歯車として接合し連動出来るように形成する。
【００２２】
更に、他の実施例として、笊（１）とボール（８）とが噛み合う位置を変えて、蓋（１）下側の輪状凸部（１５）の外壁に凹凸縦溝を複数設ける（図示せず）とともに、笊開口部（６）内側上に、前記蓋側の凹凸縦溝と噛み合うように、凹凸縦溝を複数設け（図示せず）、相互に歯車として接合し連動する構成としても良い。即ち、笊（１）とボール（８）とを、上下のみでなく内外の両方による噛み合わせ、若しくは内外のみでの噛み合わせで連動する構成とすることも可能である。
【００２３】
洗米方法はボール（８）の中に米を入れて、その上に笊（１）を重ねる。その上から適量の水を入れて、笊（１）とボール（８）の把手（５）（１０）を１個ずつ両手に持って、水平に相反方向へ左右１／４回転させる事で、笊底外側の板羽（２）（３）の動きとボール（８）内の米の動きが相反回動の相乗効果により、攪拌作用を増幅させ小さな労力で洗米する事ができる。笊（１）とボール（８）を重ね各両サイドの把手（５）（１０）を重ね合わせ持つと開口部（６）（１１）が密接する為、そのまま傾けてもボール（８）内の米を零さずに、笊（１）を通して水切りできる。このような水交換を、濁りが少なくなるまで数回繰り返す。洗米を終えて水切りしたら、笊底下側に付着する残留物を振動でボール内に落とす。ボール（８）から米を炊飯釜に移す時、ボール（８）内面の凹凸（９）によって、ボール（８）内面に付着する残留物は手を使わず振動で落とせる。また別の方法として、洗米を終えたら、水が入ったままのボール内の米を笊内に移し、笊から米を炊飯釜に移すこともできる。
【００２４】
更に上記動作の他、蓋（１２）の把手（１３）も攪拌力点として使用出来る。使用方法はボール（８）の中に米を入れて、その上に笊（１）を重ね、笊開口部（６）から適量の水を入れて、笊開口部（６）上に蓋（１２）を被せる。その際、蓋庇部（１４）の凹凸縦溝（１６）と笊開口部（６）縁の凹凸縦溝（７）を接合する。蓋（１２）上側中心に設けた把手（１３）を任意回動すると、歯車として蓋（１２）と笊底外側の板羽（２）（３）は連動し攪拌洗米する。水交換の都度、蓋（１２）を開閉するが、その他の動作は前記同様である。
【図面の簡単な説明】
【００２５】
【図１】本発明の洗米器の実施例を示した横断面図である。
【図２】本発明の洗米器のボールを示した斜視図である。
【図３】本発明の洗米器の笊を示した下面図である。
【図４】本発明の洗米器の笊を示した側面図である。
【図５】本発明の洗米器の笊を示した上面図である。
【図６】本発明の洗米器の蓋を示した下面図である。
【符号の説明】
【００２６】
１    笊
２    主要攪拌羽
３    補助攪拌羽
４    凹凸
５    把手
６    開口部
７    凹凸縦溝
８    ボール
９    凹凸
１０  把手
１１  開口部
１２  蓋
１３  把手
１４  庇部
１５  輪状凸部
１６  凹凸縦溝
【図１】
2007000216.tif 000003
【図２】
2007000216.tif 000004
【図３】
2007000216.tif 000005
【図４】
2007000216.tif 000006
【図５】
2007000216.tif 000007
【図６】
2007000216.tif 000008